(57)【特許請求の範囲】
【請求項１】
電線を巻くための胴部の両端に一対の合成樹脂製の鍔部を設けてドラム体を構成し、ドラム体を転がす際に設置面に接触する部分である鍔部の外周面部に滑り止め用リブを突設し、滑り止め用リブの胴部側の端部である内側端部を、鍔部の外周面部の内側端部よりも外側にずらして位置させて、鍔部の外周面部の端部である内側端部を全周にわたって上記滑り止め用リブが設けられない部分として成ることを特徴とする電線巻きドラム。
【請求項２】
鍔部の外周面部に形成した滑り止め用リブを、鍔部に設けた補強用リブの上に位置させて成ることを特徴とする請求項１記載の電線巻きドラム。
【発明の詳細な説明】
【０００１】
【発明の属する技術分野】
本発明は、電線巻きドラムに関するものである。
【０００２】
【従来の技術】
従来から、図８に示すように、合成樹脂製の胴部１の両端に一対の合成樹脂製の鍔部２を設けてドラム体３を構成し、このドラム体３の鍔部２の外周面部６に滑り止め用リブ４を突設するものが知られている。そして、ドラム体３を接地した際に、鍔部２の外周面部６に設けた滑り止め用リブ４により一定の外力を加えない以上ドラム体３が滑らないようにしている。
【０００３】
合成樹脂製の鍔径７６０ｍｍ、胴径３５０ｍｍのドラム体３は例えば１３ｋｇ程度であるが、ドラム体３の胴部１に電線を巻き込んだ場合は重量が２３０ｋｇ程度となり、このように電線を巻装した状態でドラム体３を移動するに当たってドラム体３に外力を加えて転がすと、合成樹脂製の鍔部２の外周面部６に突設した滑り止め用リブ４に大きな荷重がかかって押し潰される場合がある。特に、滑り止め用リブ４の端部が押し潰されてバリ３０になりやすい。ところで、従来にあっては、鍔部２の外周面部６に設けた滑り止め用リブ４は図８に示すように鍔部２の外周面部６の内側端部から外側端部に至る全巾にわたって形成してあり、このため、滑り止め用リブ４の内側端部が押し潰されてバリとなると、図９のようにこのバリ３０が鍔部２の内面よりもドラム体３の内側に飛び出し、ドラム体３に巻装した電線を傷つけることになる。特に、ドラム体３に電線を巻く際や、ドラム体３から電線を引き出す際に上記バリ３０に電線の被覆層が引っ掻かれて損傷し、また、電線の被覆層の外面に印刷した品番、電圧等の文字や数字が引っ掻かれて被覆層に印刷された文字や数字が消えて見えなくなったり、あるいは部分的に消えることで異なった文字や数字に見えてしまう（例えば９という数字の一部が消えて７という数字に見えたり、８という数字の一部が消えて３や５という数字に見えてしまう）という問題があった。また、ドラム体を転がすときには、鍔部を手で押すものであるため、バリが出ていると手に擦り傷等がつくことになる。
【０００４】
【発明が解決しようとする課題】
本発明は上記の点に鑑みてなされたものであり、滑り止め用リブが押し潰されてバリが生じても電線を傷つけたり、電線の被覆層に印刷された文字や数字が引っ掻かれて消えることがない電線巻きドラムを提供することを課題とするものである。
【０００５】
【課題を解決するための手段】
上記課題を解決するために本発明に係る電線巻きドラムは、電線を巻くための胴部１の両端に一対の合成樹脂製の鍔部２を設けてドラム体３を構成し、ドラム体３を転がす際に設置面に接触する部分である鍔部２の外周面部６に滑り止め用リブ４を突設し、滑り止め用リブ４の胴部１側の端部である内側端部を、鍔部２の外周面部６の内側端部よりも外側にずらして位置させて、鍔部２の外周面部６の端部である内側端部を全周にわたって上記滑り止め用リブ４が設けられない部分として成ることを特徴とするものである。このような構成とすることで、仮に滑り止め用リブ４の大きな荷重がかかって滑り止め用リブ４が押し潰されて滑り止め用リブ４の内側端部にバリが発生しても、バリが鍔部２の内面部よりも内側に飛び出すことがないようにできるものである。
【０００６】
また、鍔部の外周面部に形成した滑り止め用リブを、鍔部に設けた補強用リブの上に位置させることが好ましい。このような構成とすることで、滑り止め用リブに掛かる外力が直接補強用リブに掛かり、鍔部の外周面の補強にもなるものである。
【０００７】
【発明の実施の形態】
以下、本発明を添付図面に示す実施形態に基づいて説明する。
【０００８】
ドラム体３は例えばＰＰ（ポリプロピレン）からなり、図１に示すように、略筒状の胴部１の両端に一対の鍔部２を設けて構成してある。これら胴部１と一対の鍔部２は射出成形などによって成形され、各成形品を組み立ててボルト９により固定してある。
【０００９】
ドラム体３の両方に設けられる鍔部２の外面部には多数の補強用リブ１０が突設してあり、鍔部２にかかる荷重が補強用リブ１０により吸収されることにより鍔部２の割れを防止するようになっている。また、鍔部２の外周面部６にはドラム体３を置いた時に滑らないように周方向に間隔をあけて複数の滑り止め防止用リブ４が突設してある。この滑り止め防止用リブ４の間隔は補強用リブ１０の間隔が適当であるが、補強用リブ１０の間隔よりも広くても狭くてもよい。また、滑り止め用リブ４を補強用リブ１０上に形成することによって、滑り止め用リブ１０に掛かる外力が直接補強用リブ１０に掛かり、鍔部２の外周面の補強にもなるものである。この滑り止め用リブ４の内側端部（図４乃至図７においてＡで示す）は鍔部２の外周面部６の内側端部（図４乃至図７においてＢで示す）よりも外側にずらして位置させてあり、この結果、鍔部２の外周面部６の内側端部には全周にわたって滑り止め用リブ４が設けられない部分Ｃとなっている。また、滑り止め用リブ４を外側端部よりも内側端部にずらして位置させてもよいものである。図４に示す実施形態においては、鍔部２の外周面部６と鍔部２の内面部とのなす内隅部が９０°となり、また、鍔部２の外周面部６と鍔部２の内面部とのなす外隅部が弧状面となっている例を示してあるが、図５に示すように、鍔部２の外周面部６と鍔部２の内面部とのなす内隅部が９０°となり、また、鍔部２の外周面部６と鍔部２の内面部とのなす外隅部が傾斜面となっているものでもよく、また、図６に示すように、鍔部２の外周面部６と鍔部２の内面部とのなす内隅部が９０°となり、また、鍔部２の外周面部６と鍔部２の内面部とのなす外隅部が９０°となっているものでもよく、また、図７に示すように鍔部２の外周面部６自体が断面弧状に湾曲した形状となっていてもよいものである。ここで、図４、図５、図７のように鍔部２の外周面部６と鍔部２の内面部とのなす外隅部が弧状面や傾斜面となっているとドラム体３に電線を巻いたり、ドラム体３に巻いた電線を引き出したりする際にスムーズに且つ電線の被覆層を傷付けることなく行うことができるものである。
【００１０】
また、外周面部は、雄型、雌型の金型を上下抜きにて射出成形し、内側端部と外側端部の約中間に境界線を形成することによって、外力が直接かかり破損し易い外周面部をなるべく平坦で設置面積を増やし耐久性に優れた外周面部を形成したものである。この境界線の位置を外側端部に形成すると外側端部から内側端部にかけて外周面部が傾斜するため、外周面部の端部に外力が直接かかり、鍔部の耐久性が著しく低下するものである。
【００１１】
また、鍔部２の外周面部６の外面及び滑り止め用リブ４の突出縁を断面弧状としたり、あるいは、断面直線状としたりするものであるが、特に限定はない。
【００１２】
また、図４に示すように、滑り止め用リブ４の内外の両端部のうち少なくとも内側端部を内側に行くほど突出長が短くなるように傾斜させておくと、滑り止め用リブ４に大きな荷重がかかって押し潰された際に滑り止め用リブ４の内側端部にバリが生じにくいものである。更に、滑り止め用リブ４の全体形状は、雄型、雌型の金型を上下抜きにて射出成形するため、細長い形状が適切であるが、丸や多角形等の上下抜きにできる形状であればよい。
【００１３】
また、滑り止め用リブ４は鍔部２の外周面部６の周方向においては断面形状が弧状となっており、大きな荷重が滑り止め用リブ４に作用してもできるだけ押し潰されにくい断面形状としてある。
【００１４】
鍔部２には前述のように胴部１と両鍔部２とを固定するためのボルト９が貫通するための複数のボルト孔１１が周方向に間隔をあけて複数個穿孔してあり、鍔部２の内部側に胴部１の端部をはめ込むための嵌め込み溝部２０が形成してあって、この嵌め込み溝部２０に胴部１の端部をはめ込み、ボルト９を用いて両鍔部２と胴部１とを連結固着してある。
【００１５】
また、鍔部２には胴部１に巻装される電線４の巻き始め始端をドラム体３の外部に取り出すための電線取り出し孔５が形成してある。
【００１６】
しかして、電線４をドラム体３に巻装するに当たっては、電線４の巻き始め端部をドラム体３の内部から電線取り出し孔５を通して鍔部２の外部に取り出し、鍔部２の外面側において電線端部保持具（図示せず）などを用いて電線４の端部を鍔部２の外部に取付ける。その後、ドラム体３の内部において胴部１に電線４を巻き取るものである。
【００１７】
このように、ドラム体３に電線を巻装した状態で、ドラム体３の鍔部２の外周面部６を接地するのであるが、接地した状態で転がそうとする外力を加えない限り、ドラム体３の外周面部４に設けた滑り止め用リブ４の存在によりドラム体３の滑り止めがなされて、不用意にドラム体３が転がることがないようになっている。
【００１８】
一方、ドラム体３を移動したい場合には、ドラム体３を接地した状態でドラム体３を押して外力を加えることで、ドラム体３を回転して移動することができるものである。このようにしてドラム体３を回転する際、滑り止め用リブ４に大きな荷重がかかって押し潰され、滑り止め用リブ４の端部にバリが生じることがある。しかしながら、本発明においては、上記のように、滑り止め用リブ４の内側端部を鍔部２の外周面部６の内側端部よりも外側にずらして位置させてあるので、仮に滑り止め用リブ４に大きな荷重がかかって滑り止め用リブ４が押し潰されて滑り止め用リブ４の内側端部にバリが発生しても、バリが鍔部２の内面部よりも内側に飛び出すことがないようにできるものである。したがって、ドラム体３に巻装した電線を傷つけることがなく、また、ドラム体３に電線を巻く際や、ドラム体３から電線を引き出す際に上記バリに電線の被覆層が引っ掻かれて損傷したり、あるいは、電線４の被覆層の外面に印刷した品番、電圧等の文字や数字が引っ掻かれて被覆層に印刷された文字や数字が消えて見えなくなったり、あるいは部分的に消えることで異なった文字や数字に見えてしまうといったことが生じないようにできるものである。
【００１９】
【発明の効果】
上記のように本発明の請求項１記載の発明にあっては、胴部の両端に一対の鍔部を設けてドラム体を構成し、鍔部の外周面部に滑り止め用リブを突設し、滑り止め用リブの内側端部を鍔部の外周面部の内側端部よりも外側にずらして位置させてあるので、仮に滑り止め用リブに大きな荷重がかかって滑り止め用リブが押し潰されて滑り止め用リブの内側端部にバリが発生しても、バリが鍔部の内面部よりも内側に飛び出すことがなく、これによりドラム体に巻装した電線を傷つけることがなく、また、ドラム体に電線を巻く際や、ドラム体から電線を引き出す際にバリに電線の被覆層が引っ掻かれて損傷したり、あるいは、電線の被覆層の外面に印刷した品番、電圧等の文字や数字が消えて見えなくなったり、あるいは部分的に消えることで異なった文字や数字に見えてしまうといったことが生じず、この結果、電線の被覆層の損傷によるトラブルや文字や数字の判読ができなかったり、誤読が生じることによるトラブルを解消することができるものである。
【００２０】
また、請求項２記載の発明にあっては、上記請求項１記載の発明の効果に加えて、鍔部の外周面部に形成した滑り止め用リブを、鍔部に設けた補強用リブの上に位置させるので、滑り止め用リブに掛かる外力が直接補強用リブに掛かり、鍔部の外周面の補強にもなるものである。
【図面の簡単な説明】
【図１】本発明の電線巻きドラムを示す全体斜視図である。
【図２】同上の側面図である。
【図３】図上の断面図である。
【図４】同上の滑り止め用リブ部分の拡大断面図である。
【図５】同上の他の実施形態の滑り止め用リブ部分の拡大断面図である。
【図６】同上の更に他の実施形態の滑り止め用リブ部分の拡大断面図である。
【図７】同上の更に他の実施形態の滑り止め用リブ部分の拡大断面図である。
【図８】従来例を示す斜視図である。
【図９】従来例の滑り止め用リブの端部がバリになった例を示す拡大断面図である。
【符号の説明】
１  胴部
２  鍔部
３  ドラム体
４  滑り止め用リブ
６  外周面部
【図１】
0004308390.tif 000002
【図２】
0004308390.tif 000003
【図３】
0004308390.tif 000004
【図４】
0004308390.tif 000005
【図５】
0004308390.tif 000006
【図６】
0004308390.tif 000007
【図７】
0004308390.tif 000008
【図８】
0004308390.tif 000009
【図９】
0004308390.tif 000010